(57)【特許請求の範囲】
【請求項１】
多数のパイプ状弦材を縦横に組付けた格子状の上側枠体と、同じく多数のパイプ状弦材を縦横に組付けた格子状の下側枠体と、上側枠体と下側枠体との間に斜め方向に配設されて上下の弦材の交点を連結する二つのパイプ状斜材と、を有し、上記各弦材と各斜材とは側壁を内側に折り曲げ且つ押し潰した偏平部を備え、上記各上下の弦材の交点において各弦材の偏平部と斜材の偏平部とを重合して締着しているトラスにおいて、各上下の弦材は中央部と両端部とに偏平部を形成した単一の水平パイプ材を多数連設して形成させ、各斜材は中央部と両端部とに偏平部を形成した単一のＶ字状パイプ材を多数連設して波形に形成させ、上記各上下の弦材の交点において、一つの水平パイプ材に対して直交する二つの水平パイプ材と斜め方向に交叉する三つのＶ字状パイプ材とを集合させ且つ一つの水平パイプ材の中央の偏平部に対して他の二つの水平パイプ材の端部偏平部と一つのＶ字状パイプ材の中央偏平部と他の二つのＶ字状パイプ材の端部偏平部とを重合して締着したことを特徴とするトラス。
【請求項２】
上側枠体における弦材の交点と下側枠体における弦材の交点とが斜め方向にＶ字状パイプ材の半分の長さ分ずれている請求項１のトラス。
【請求項３】
各偏平部の上面，下面又は上下両面に滑り止めが形成されている請求項１のトラス。
【発明の詳細な説明】
【０００１】
【発明の属する技術分野】
本発明は、体育館，ドーム球場，展示場，レジャーホール，格納庫，温室等における建造物，空間構築物の骨組に使用されるトラスに関する。
【０００２】
【従来技術】
この種のトラスとして、例えば、特公昭５２−２５１６８号公報に開示されたものが知られている。このトラスは、水平な弦材と斜板とを連結するにあたり、パイプ材の任意の位置を潰して二重構造の偏平部とし、この偏平部を重合して締着したものであるが、この場合、偏平部がパイプ材より巾が大きくなること、偏平部が薄くて強度が弱いという不具合がある。そこで、例えば、特公平６−７８６４９号に開示のような強度のあるトラスが開発された。このトラスは、格子状に配設した縦横の長い上弦材と、同じく格子状に配設した縦横の長い下弦材と、上弦材の交点と下弦材の交点を連結する側面波形の長い斜材と、からなり、各弦材と斜板とは角パイプ材で成形され且つ角パイプ材の両側壁を内側に折り曲げて潰した四重構造の偏平部を備え、上弦材の交点と下弦材の交点とにおいて、上記各弦材の偏平部と斜板の偏平部とを重合して締着するものである。
【０００３】
【発明が解決しようとする課題】
上記特公平６−７８６４９号公報に記載されたトラスは、偏平部がパイプ材の四倍の厚みとなって強度アップが図れ、横巾もほぼパイプ材の直径と等しくなって偏平部を重ねることが容易となる利点がある反面、次のような不具合がある。
【０００４】
即ち、通常上記弦材と斜材とは５．５メートル，８メートル，１１メートル等の複数の長い材料を用意し、構築物の大きさに応じて必要な長さのものを使用している。しかしながら、構築物の屋根等が、例えば、上記の単一の弦材の長さより長い大型の構築物である場合には上記の弦材と斜板とを水平方向に複数本並べて、それぞれの端部の偏平部同志を結合する必要がある。この場合、ある一つの弦材の中間の偏平部においては、この弦材自体の偏平部と、これに直交する他の弦材の偏平部と、二つの斜め方向に交叉する斜板の偏平部と、が重合することになるが、上記のように弦材同志と斜材同志をそれぞれ水平方向に接続した個所では、例えば、弦材同志を接続した個所では一つの弦材の端部偏平部に対して接続される他の弦材の端部偏平部が余分に重ね合わされることになり、この部分の重合厚みは中間の偏平部における重合厚みより厚くなる。この為、弦材と斜板とは一本の連続した個所の偏平部における厚みと接続個所の厚みが異なり、結果としてトラス自体にゆがみが発生する。そこで、これを避けるためにはトラスの大きさに応じた多数の弦材と斜板を用意すること、弦材や斜材の角度を変えること、重合部のスペーサの厚みを変えて全体の厚みを調節すること、等の他の設計，加工が必要となり、経済性，作業性に劣るものである。更に、上記のように、多数の弦材と斜材を用意し、必要に応じて接続させようとすると寸法の異なるものを誤って接続する危険があり、場合によっては、トラスの組み直しをする必要もある。
【０００５】
そこで、本発明の目的は、縦横の弦材と斜材の接続位置における重合厚みをどの位置においても等しくでき、トラスのゆがみの発生を防止でき、標準化した弦材と斜材とを使用でき、組付け間違いがほとんど生じない経済性，作業性にすぐれたトラスを提供することであり。
【０００６】
【課題を解決するための手段】
上記の目的を達成するため、本発明の構成は、多数のパイプ状弦材を縦横に組付けた格子状の上側枠体と、同じく多数のパイプ状弦材を縦横に組付けた格子状の下側枠体と、上側枠体と下側枠体との間に斜め方向に配設されて上下の弦材の交点を連結する二つのパイプ状斜材とを有し、上記各弦材と各斜材とは側壁を内側に折り曲げ且つ押し潰した偏平部を備え、上記各上下の弦材の交点において各弦材の偏平部と斜材の偏平部と重合して締着しているトラスにおいて、各上下の弦材は中央部と両端部とに偏平部を形成した単一の水平パイプ材を多数連設して形成させ、各斜材は中央部と両端部とに偏平部を形成した単一のＶ字状パイプ材を多数連設して波形に形成させ、上記各上下の弦材の交点において、一つの水平パイプ材に対して直交する二つの水平パイプ材と斜め方向に交叉する三つのＶ字状パイプ材とを集合させ且つ一つの水平パイプ材の中央の偏平部に対して他の二つの水平パイプ材の端部偏平部と一つのＶ字状パイプ材の中央偏平部と他の二つのＶ字状パイプ材の端部偏平部とを重合して締着したことを特徴とする。
【０００７】
この場合、上側枠体における弦材の交点と下側枠体における弦材の交点とが斜め方向にＶ字状パイプ材の半分の長さ分ずれている。
【０００８】
更に、各偏平部の上面，下面又は上下両面に滑り止めが形成されているのが好ましい。
【０００９】
【発明の実施の形態】
以下、本発明の実施の形態を、図にもとづいて説明するが、本発明に係るトラスＡは、地上に起立する支柱１上に取り付けられ、このトラスＡ上に屋根Ｂ等を結合させるものである。
【００１０】
トラスＡは、格子状に配設した縦横の上弦材Ｃ１，Ｃ２からなる上側枠体Ｘと、同じく、格子状に配設した縦横の下弦材Ｄ１，Ｄ２からなる下側枠体Ｙと、上弦材Ｃ１，Ｃ２の交点Ｐ１と下弦材Ｄ１，Ｄ２の交点Ｐ２とを連結するる二つの交叉した斜材Ｅ１，Ｅ２と、で構成されている。
【００１１】
上弦材Ｃ１，Ｃ２と下弦材Ｄ１，Ｄ２とは同一の構造に成形され、単一の水平パイプ材ａを複数本水平方向に連設したものから構成されている。
【００１２】
斜材Ｅ１，Ｅ２も同一の構造に成形され、それぞれ単一のＶ字状パイプ材ｂを複数本波形に連結したものから構成されている。
【００１３】
単一の水平パイプ材ａは、図７，図１１に示すように、水平な角パイプ本体２と、本体２の中央に設けた偏平部３と、本体２の両端に設けた偏平部４，５とで構成されている。上記偏平部３，４，５は本体２の両端壁ｇを内側に折り曲げて押し潰すことにより成形され、これにより各偏平部３，４，５の厚みＬは本体２の肉厚の四倍となり、巾Ｗは本体２の直径と同じである。各偏平部３，４，５の中央にはボルト挿入孔６を穿設し、且つ上面，下面又は上下両面に溝，リブ等からなる滑り止め７がほどこされている。
【００１４】
斜材Ｅを構成する単一のＶ字状パイプ材ｂは、図９に示すように、Ｖ字状に折り曲げた角パイプ本体８と、本体８の中央に設けた偏平部９と、本体８の両端に設けた偏平部１０，１１とで構成されている。偏平部９，１０，１１は、図１１で示すものと同じように、本体８の両側壁を内側に折り曲げて押し潰すことにより成形され、その厚みは本体８の肉厚の四倍となり、巾は本体８の直径と等しくなっており、上記と同じくボルト挿入孔と滑り止めとが形成されている。
【００１５】
上弦材Ｃ１，Ｃ２は、格子状に縦横に配置され、縦方向の上弦材Ｃ２と横方向の上弦材Ｃ１とはそれぞれ単一の水平パイプ状ａを縦方向と横方向に端部同志を結合し複数本連設したものである。同様に下弦材Ｄ１，Ｄ２は縦横に配置され、それぞれ縦方向と横方向に単一の水平パイプ材ａを複数本連設したものである。
【００１６】
斜材Ｅ１，Ｅ２は、単一のＶ字状パイプ材ｂの端部同志を複数本結合して波形に形成している。
【００１７】
上弦材Ｃ１，Ｃ２を直交した交点Ｐ１と下弦材Ｄ１，Ｄ２を直交した交点Ｐ２とは斜材Ｅを構成するＶ字状パイプ材ｂの半分の長さ分、斜め方向にずらして配置されている。
【００１８】
二つの斜材Ｅ１，Ｅ２は、上下逆に配置され、これにより一方の斜材Ｅ１を構成するＶ字状パイプ材ｂの中央偏平部９は必ず上側の交点Ｐ１に結合され、他の斜材Ｅ２を構成する他方のＶ字状パイプ材ｂの中央偏平部９は必ず下方の交点Ｐ２に結合されている。従って、斜材Ｅ１におけるＶ字状パイプ材ｂの中央偏平部９が交点Ｐ１に結合されている時、両端部の偏平部１０，１１は下方の交点Ｐ２に結合され、斜材Ｅ２におけるＶ字状パイプ材ｂの中央偏平部９が下方の交点Ｐ２に結合されている時、両端部の偏平部１０，１１は上方の交点Ｐ１に結合されている。
【００１９】
以下、トラスの組付構造を図３乃至図６にもとづいて説明すると、例えば、上方の交点Ｐ１においては、上弦材Ｃ２を構成する一つの水平材ａの中央部に対して横方向の上弦材Ｃ１を構成する二つの水平材ａ，ａの端部と、一方の斜材Ｅ２を構成するＶ字状パイプ材ｂの中央部と、他方の斜材Ｅ２を構成する二つのＶ字状パイプ材ｂの各端部を集合させて締着させ、この結合状態を各交点Ｐ１において交互に繰り返している。下方の交点Ｐ２においては、上下逆になるだけで上記交点Ｐ１における結合状態と同じである。
【００２０】
今、図５に示すように、ある一ケ所の交点Ｐ１について説明すると、縦方向の上弦材Ｃ２を構成する水平材ａたる角パイプ本体２の中央偏平部３に対して横方向の上弦材Ｃ１を構成する二つの水平材ａたる角パイプ２の端部偏平部４，５を下方に重ね合せ、更に、一方の斜材Ｅ２を構成するＶ字状パイプ材ｂたるパイプ本体８の端部偏平部１０，１１をそれぞれ下方に重ね、更に、他方の斜材Ｅ１を構成するＶ字状パイプ材ｂたるパイプ本体８の中央偏平部９を下方に重ね、スペーサＳ１，Ｓ２，Ｓ３，Ｓ４とボルトＶとを介して各偏平部３，４，５，９，１０，１１が重合して締着される。この際、各スペーサと偏平部とには溝，リブ等からなる滑り止め７が形成されていて結合部が滑らないようになっている。スペーサＳ２は、スペーサＳ１，Ｓ３に対して４５度向きをずらして配設されている。
【００２１】
下方の交点Ｐ２においては、図５に示す状態が上下逆に配置されるだけで結合状態は同じである。
【００２２】
尚、トラスＡの外周側端部は、必要に応じて、図８に示すパイプ本体１２と両端の偏平部１３，１４を備えた補助水平材、図１０に示す斜めのパイプ本体１５と両端の偏平部１６，１７を備えた補助材を補助的に組付けることができる。これらはトラスの大きさに応じて使用される。
【００２３】
【発明の効果】
本発明によれば、次の効果がある。
【００２４】
▲１▼各請求項の発明によれば、各弦材と各斜材の交点においては必ず一つの水平パイプ材の中央偏平部と、他の二つの水平パイプ材の端部偏平部と、一つのＶ字状パイプ材の中央偏平部と他の二つのＶ字状パイプ材の端部偏平部とが重合されているために、各上下の交点の重合された肉厚と重量は同じとなり、トラス全体にゆがみが発生しない。
【００２５】
▲２▼同じく、同一構造の標準化された水平材と同一構造のＶ字状パイプ材を用意するだけでトラスを組付けでき、余分な材料を必要としない為に加工性，経済性にすぐれ、各部材は軽くて、コンパクトであるから格納，搬送にも有利である。
【００２６】
▲３▼同一構造の水平材と同一構造の斜材しか用意されておらず、これらの組付け方は一定であるために、組付け誤りが生じる危険が少なく、トラスの組み直し等の作業が回避できる。
【図面の簡単な説明】
【図１】トラスの一部切欠き平面図である。
【図２】トラスの正面図である。
【図３】トラスの一部拡大略示斜視図である。
【図４】図３の分解斜視図である。
【図５】上弦材と斜材との交点における重合状態を示す分解斜視図である。
【図６】上弦材と斜材との交点における重合状態を示す一部切欠き縦断正面図である。
【図７】水平パイプ材の略示正面図である。
【図８】補助水平材の略示正面図である。
【図９】Ｖ字状パイプ材の略示正面図である。
【図１０】補助斜材の略示正面図である。
【図１１】水平パイプ材の一部切欠き斜視図である。
【図１２】図１１のＡ−Ａ線断面図である。
【図１３】図１１のＢ−Ｂ線断面図である。
【図１４】図１１のＣ−Ｃ線断面図である。
【符号の説明】
３，４，５，９，１０，１１  偏平部
７  滑り止め
ａ  水平パイプ材
ｂ  Ｖ字状パイプ材
Ｃ１，Ｃ２，Ｄ１，Ｄ２  弦材
Ｅ１，Ｅ２  斜材
Ｐ１，Ｐ２  交点
Ｘ  上側枠体
Ｙ  下側枠体
【図１】
0003596832.tif 000002
【図２】
0003596832.tif 000003
【図３】
0003596832.tif 000004
【図４】
0003596832.tif 000005
【図５】
0003596832.tif 000006
【図６】
0003596832.tif 000007
【図７】
0003596832.tif 000008
【図８】
0003596832.tif 000009
【図９】
0003596832.tif 000010
【図１０】
0003596832.tif 000011
【図１１】
0003596832.tif 000012
【図１２】
0003596832.tif 000013
【図１３】
0003596832.tif 000014
【図１４】
0003596832.tif 000015